(57)【特許請求の範囲】
【請求項１】
金属製板材からなる表裏一対の第一、第二面板のドア幅方向両端縁をそれぞれ折曲して、ドア面となる第一、第二見付け片部と、ドア厚方向の端面となる第一、第二見込み片部とを形成し、第一、第二見付け片部同士が対向するよう組込んでなるドア体において、ドア体の上下端部にフレーム材を介装するにあたり、戸尻側の第一見込み片部を、第一見付け片部の戸尻側端縁から第二見付け片部に向けて延出してドア厚方向中間部に至る外側見込み片部と、外側見込み片部の延出端縁から戸先側に向けて延出する段差片部と、段差片部の延出端縁から第二見付け片部に向けて延出し、第二見付け片部に突当てられる内側見込み片部とによりクランク状に形成する一方、戸尻側の第二見込み片部を、第二見付け片部の戸尻側端縁から第一見付け片部に向けて延出してドア厚方向中間部に至り、外側見込み片部とともに戸尻側端面を構成するよう形成するとともに、第二見込み片部の延出端縁を戸先側に向けて延出して段差片部に当接する第二当接片部を形成し、上下のフレーム材の戸尻側部位を、戸尻側端面よりもドア幅方向内側に位置する第一面板側の段差片部と内側見込み片部とを切欠くことにより形成される第一フレーム用切欠き部、および、第二面板側の第二当接片部を切欠くことにより形成される第二フレーム用切欠き部により支持する構成としたことを特徴とするドア体。
【請求項２】
第一面板は、内側見込み片部の延出端縁から戸先側に向けて延出し、第二見付け片部に当接する第一当接片部が形成されるものとし、第一フレーム用切欠き部は、段差片部、内側見込み片部とともに第一当接片部を切欠いて形成されていることを特徴とする請求項１に記載のドア体。
【請求項３】
第一面板は、第一当接片部の延出端縁から第一見付け片部に向けて延出する第一フランジ片部が形成されるものとし、第一フレーム用切欠き部は、段差片部、内側見込み片部、第一当接片部とともに第一フランジ片部を切欠いて形成されていることを特徴とする請求項２に記載のドア体。
【発明の詳細な説明】
【技術分野】
【０００１】
本発明は、オフィスビルや工場等の建築物の出入り口部に設けられるドア体の技術分野に関するものである。
【背景技術】
【０００２】
一般に、オフィスビルや工場等の建築物では、出入り口部に、金属製板材からなる表裏一対の面板と、これら面板間に介装されるコア材とを用いて構成される鋼製のドア体を設けることがあり、このような鋼製のドア体は、従来、強度や寸法精度を高めるべく、表裏の面板間の少なくとも四周にＣ型チャンネルからなるフレーム材を介装している。しかしながら、近年、鋼製のドア体においても、軽量化、低コスト化が求められており、ドア体に内装されるフレーム材を可能な限り省略することが提唱されている。ところで、フレーム材の少ないドア体を構成する場合、ドア体の強度をどのように確保するかが問題となり、強度を確保する一つの手段としては、表裏面板の四周に繰返し折返された折曲片部を形成することが考えられる。そこで、ドア体の上下方向についてはフレーム材を介装する一方、表裏面板のうちの一方の面板の戸先側、戸尻側の各端面のドア幅方向（見付け方向）内側に、繰返し折曲することにより構成される挿入片をそれぞれ形成し、他方の面板の戸先側、戸尻側の各端面のドア幅方向（見付け方向）内側に、繰返し折曲することにより構成される挟着溝をそれぞれ形成し、各挿入片を挟着溝に押し込むことにより表裏面板を抜止め状に一体化するようにしたものが提唱されている。
【先行技術文献】
【特許文献】
【０００３】
【特許文献１】特開２０１０−１６２３号公報
【発明の概要】
【発明が解決しようとする課題】
【０００４】
前記特許文献１のドア体は、ドア体の戸先側と戸尻側については、面板の端縁を繰り返し折返すことで強度を確保してフレーム材を省略し、ドア体の上下側についてはフレーム材を介装することにより強度を確保し、これによって、ドア体の四周における強度を確保したり、ドア体の表裏ドア面の平滑性を確保できるようにしている。さらに、このものにおいて、ドア体は、ドア枠（躯体側）に対して開閉揺動する部材を丁番としており、ドア体の荷重はドア体の戸尻側部位に設けられる丁番を介して支持されることになり、ドア体の戸尻側の強度を高めることで対応している。ところで、ドア体をドア枠に対してピボットヒンジを用いて支持する場合では、ピボットヒンジを取付けるためのフレーム材をドア体の上下に設けることが必須となり、ドア体の荷重はピボットヒンジ取付け部となるフレーム材、特に下側のフレーム材に集中して作用することになる。しかるに、特許文献１のものでは、フレーム材の支持についての記載は何らなく、図６に示されるように、フレーム材を表裏のドア面との接着力やコア材で支持するような構成となっている。このようなものにピボットヒンジを設ける場合では、ドア体の荷重が上下のフレーム材、特に下端部に設けられるフレーム材に作用して、フレーム材が剛性のないコア材に対して沈み込むようになってしまうことが考えられ、このような構成ではドア体をピボットヒンジ式とすることはできず、ここに本発明の解決すべき課題がある。
【課題を解決するための手段】
【０００５】
本発明は、上記の如き実情に鑑みこれらの課題を解決することを目的として創作されたものであって、請求項１の発明は、金属製板材からなる表裏一対の第一、第二面板のドア幅方向両端縁をそれぞれ折曲して、ドア面となる第一、第二見付け片部と、ドア厚方向の端面となる第一、第二見込み片部とを形成し、第一、第二見付け片部同士が対向するよう組込んでなるドア体において、ドア体の上下端部にフレーム材を介装するにあたり、戸尻側の第一見込み片部を、第一見付け片部の戸尻側端縁から第二見付け片部に向けて延出してドア厚方向中間部に至る外側見込み片部と、外側見込み片部の延出端縁から戸先側に向けて延出する段差片部と、段差片部の延出端縁から第二見付け片部に向けて延出し、第二見付け片部に突当てられる内側見込み片部とによりクランク状に形成する一方、戸尻側の第二見込み片部を、第二見付け片部の戸尻側端縁から第一見付け片部に向けて延出してドア厚方向中間部に至り、外側見込み片部とともに戸尻側端面を構成するよう形成するとともに、第二見込み片部の延出端縁を戸先側に向けて延出して段差片部に当接する第二当接片部を形成し、上下のフレーム材の戸尻側部位を、戸尻側端面よりもドア幅方向内側に位置する第一面板側の段差片部と内側見込み片部とを切欠くことにより形成される第一フレーム用切欠き部、および、第二面板側の第二当接片部を切欠くことにより形成される第二フレーム用切欠き部により支持する構成としたことを特徴とするドア体である。
請求項２の発明において、第一面板は、内側見込み片部の延出端縁から戸先側に向けて延出し、第二見付け片部に当接する第一当接片部が形成されるものとし、第一フレーム用切欠き部は、段差片部、内側見込み片部とともに第一当接片部を切欠いて形成されていることを特徴とする請求項１に記載のドア体である。
請求項３の発明において、第一面板は、第一当接片部の延出端縁から第一見付け片部に向けて延出する第一フランジ片部が形成されるものとし、第一フレーム用切欠き部は、段差片部、内側見込み片部、第一当接片部とともに第一フランジ片部を切欠いて形成されていることを特徴とする請求項２に記載のドア体である。
【発明の効果】
【０００６】
請求項１の発明とすることにより、戸尻側の端部のフレームを省略したドア体において、ドア体の上下に設けられる上、下側フレーム材のドア体に対する一体化強度を高めることができる。
請求項２の発明とすることにより、上、下側フレーム材のドア体との一体化強度を一層高められる。
請求項３の発明とすることにより、上、下側フレーム材のドア体との一体化強度のさらなる向上が図れる。
【図面の簡単な説明】
【０００７】
【図１】図１（Ａ）はドア体のドア枠への取付け状態における正面図、図１（Ｂ）、（Ｃ）、（Ｄ）、（Ｅ）、（Ｆ）はそれぞれドア体の平面図、左側面図、正面図、右側面図、底面図である。
【図２】図１（Ａ）におけるＸ−Ｘ断面図である。
【図３】図１（Ａ）におけるＹ−Ｙ断面図である。
【図４】図４（Ａ）、（Ｂ）、（Ｃ）、（Ｄ）はそれぞれ第一ボックス体の平面図、左側面図、正面図、右側面図である。
【図５】図５（Ａ）、（Ｂ）、（Ｃ）、（Ｄ）はそれぞれ第二ボックス体の平面図、左側面図、正面図、右側面図である。
【図６】第一、第二ボックス体の組込み手順を説明する平面断面図である。
【図７】図７（Ａ）、（Ｂ）、（Ｃ）はそれぞれ上側フレーム材の平面図、正面図、図７（Ａ）のＸ−Ｘ断面図、図７（Ｄ）、（Ｅ）、（Ｆ）はそれぞれ下側フレーム材の平面図、正面図、図７（Ｄ）のＸ−Ｘ断面図である。
【図８】戸先側における上側フレーム材の支持状態を説明する斜視図である。
【図９】戸尻側における上側フレーム材の支持状態を説明する分解斜視図である。
【図１０】図１０（Ａ）は第一面板、上側フレーム材の組込み状態を説明する平面図、図１０（Ｂ）は第一、第二面板、上側フレーム材、ピボットヒンジ用ライナーの組込み状態を説明する平面図、図１０（Ｃ）はドア体にピボットヒンジを組込んだ状態を説明する平面図である。
【図１１】図１１（Ａ）、（Ｂ）はそれぞれドア体の一部を切欠いた正面図、図１１（Ａ）のＸ−Ｘ断面図である。
【図１２】図１２（Ａ）、（Ｂ）、（Ｃ）はそれぞれ施錠装置用ライナーの取付け状態を説明する平面断面図、側面図、正面図である。
【発明を実施するための形態】
【０００８】
以下、本発明の第一の実施の形態について、図面に基づいて説明する。
図面において、１は建築物の出入り口部（開口部）の四周に設けられるドア枠であって、該ドア枠１は、上下、左右（戸先側、戸尻側）の各枠材２、３、４、５を四角形状に一体的に枠組みすることにより形成されている。これら各枠材２、３、４、５は金属製板材を折曲して形成されており、開口部側に位置する側片部には、屋外側部位の上下、左右のそれぞれにおいて外方に向けて退避するよう段差状に折曲され、屋外側を向く戸当たり片部２ａ、３ａ、４ａ、５ａと、ドア枠１に支持される本発明が実施されたドア体６の全閉姿勢において、ドア体６の上下、戸先側、戸尻側の各端面６ａ、６ｂ、６ｃ、６ｄにそれぞれ対向するドア体対向片部２ｂ、３ｂ、４ｂ、５ｂとが形成されている。
【０００９】
前記ドア体６は金属製板材、好ましくは鋼製であって、本実施の形態では鋼板からなる屋内外一対（表裏一対）の第一、第二面板７、８と、これら第一、第二面板７、８のあいだに介装されるコア材９とを備えて構成されており、後述するように、第一、第二面板７、８の戸先側と戸尻側部位とを適宜折曲して一体化することにより、戸先側および戸尻側の端部に介装されるフレーム材が省略されたドア体６に構成されている。
そして、本実施の形態のドア体６は、後述するように、戸尻側となる図１（Ａ）の図面向かって右側の上端部と上枠材２とのあいだ、下端部と戸尻側の右枠材５とのあいだにそれぞれ設けられる上下一対の上、下側ピボットヒンジ１０、１１を介してドア枠１に揺動自在に支持されており、これら上、下側ピボットヒンジ１０、１１に同芯状に配されるピボット軸１０ａ、１１ａを揺動支点として屋外側において開閉揺動する外開き式に構成されている。
【００１０】
前記ドア体６を構成する第一、第二面板７、８は、ドア体６の屋内外の見付け面（屋内側ドア面、屋外側ドア面）６ｅ、６ｆを構成する四角形状の第一、第二見付け片部７ａ、８ａと、これら第一、第二見付け片部７ａ、８ａの四周の端縁からそれぞれ上下、左右（戸先側、戸尻側）に延出する余長部とを備えた形状に予め裁断されており、前記各方向に延出する余長部をそれぞれ折曲加工することにより、入れ子状の箱型形状となった第一、第二ボックス体７Ｂ、８Ｂを形成するように構成されている。そして、屋内側のドア面６ｅを構成する第一ボックス体７Ｂに対し、屋外側のドア面６ｆを構成する第二ボックス体８Ｂを外嵌させて一体化することによりドア体６が形成されている。
尚、第一、第二面板７、８は、必ずしも第一面板を屋内側、第二面板を屋外側の面板として用いる必要はなく、その逆の構成として用いることも可能であり、要は、一方の面板により構成されるボックス体が他方の面板により構成されるボックス体に外嵌することでドア体を形成する構成であれば、ドア体の表裏方向については何れの方向であってもよい。
【００１１】
前記第一面板７において、図４に示すように、第一見付け片部７ａの戸先側の端縁（左側端縁）に形成される余長部には、第一見付け片部７ａの端縁から折り返し状に折曲されて、戸尻側に向けて延出する戸先側第一折返し片部７ｂと、該戸先側第一折返し片部７ｂの延出端縁を折曲して、第二見付け片部８ａ側（屋外側）に向けて延出する戸先側第一見込み片部７ｃとが形成されている。
ここで、前記戸先側第一折返し片部７ｂは、延出端側部位（戸尻側部位）が第一見付け片部７ａの屋外側面（内側面）に当接するよう、戸先側第一折返し片部７ｂを第一見付け片部７ａに押し付ける（押し潰す）状態で折返されるが、ヘアピン状に折曲形成することにより、第一見付け片部７ａと戸先側第一折返し片部７ｂとのあいだであって、ドア体６の戸先側端面６ｃとして外部に露出する折返し部７ｄが完全に押し潰されることなく空間部Ｓが形成されている。これによって、化粧鋼板等の表面加工が施された面板の折返し部を押し潰すように折曲することにより発生する白化現象が防止されて、ドア体戸先側端面６ｃとして外部に露出する折返し部７ｄの外面における表面加工を保護することができて、意匠性の向上が図れるように構成されている。
【００１２】
そして、前記戸先側第一見込み片部７ｃは、ドア体６の戸先側端面６ｃよりも戸先側第一折返し片部７ｂの長さに相当する分だけ戸尻側に位置しているとともに、戸先側端面６ｃに対して平行となる位置関係となっている。このとき、戸先側第一見込み片部７ｃは、延出端縁が屋外側ドア面６ｆ（第二面板８の第二見付け片部８ａ）に当接する長さに寸法設定されるが、戸先側第一折返し片部７ｂの延出端縁は第一見付け片部７ａに押し付けられるように形成することにより、精度よく寸法設定されている。
さらに、戸先側の余長部には、戸先側第一見込み片部７ｃの延出端縁から戸先側に向けて延出され、第二面板８の第二見付け片部８ａに当接する戸先側第一当接片部７ｅが形成され、戸先側第一当接片部７ｅの延出端縁から第一見付け片部７ａ側（第一面板７側、第一折返し片部７ｂ側、屋内側）に向けて延出された戸先側第一フランジ片部７ｆが形成されている。
【００１３】
また、第一見付け片部７ａの戸尻側の端縁（右側端縁）に形成される余長部を折曲することにより、第一見付け片部７ａの戸尻側端縁に続いて戸尻側第一見込み片部が形成されるが、前記戸尻側第一見込み片部は、第一見付け片部７ａの戸尻側端縁から第二見付け片部８ａに向けて延出してドア厚方向中間部に至る外側見込み片部７ｇと、該外側見込み片部７ｇの延出端縁から戸先側に向けて延出する段差片部７ｈと、該段差片部７ｈの延出端縁から第二見付け片部８ａに向けて延出し、第二見付け片部８ａに突当たる内側見込み片部７ｉとによりクランク状に形成されている。そして、外側見込み片部７ｇと内側見込み片部７ｉとは互いに平行となるように形成され、外側見込み片部７ｇは戸尻側端面６ｄの構成部材として外部に露出し、段差片部７ｈ、内側見込み片部７ｉは戸先側に偏倚してドア厚内（ドア幅方向内側）に位置するように形成されている。さらに、戸尻側の余長部には、内側見込み片部７ｉの延出端縁から戸先側に向けて延出し、第二面板８の第二見付け片部８ａに当接する戸尻側第一当接片部７ｊが形成され、戸尻側第一当接片部７ｊの延出端縁には第一見付け片部７ａ側（第一面板７側、屋内側）に向けて延出し、ドア厚方向中間部に至る戸尻側第一フランジ片部７ｋが形成されており、これら戸尻側第一当接片部７ｊ、戸尻側第一フランジ片部７ｋは内側見込み片部７ｉ、段差片部７ｈとともにドア幅方向内側に位置している。
【００１４】
そして、第一見付け片部７ａの上下の端縁に形成される余長部は第一見付け片部７ａの左右両端縁を除く部位に形成されており、該余長部を第二見付け片部８ａ側（第二面板８側、屋外側）に向けて折曲することにより上、下側第一見込み片部７ｍ、７ｎが形成されている。
【００１５】
このように、第一面板７の四周に形成された余長部を折曲することにより、屋外側（第二面板８側）が開口する第一ボックス体７Ｂが形成されるが、第一ボックス体７Ｂは、前述したように、戸先側第一見込み片部７ｃの延出端縁および戸尻側の内側見込み片部７ｉの延出端縁に、それぞれ戸先側、戸尻側の各第一当接片部７ｅ、７ｊが形成されたものとなっており、これら各戸先側、戸尻側第一当接片部７ｅ、７ｊは、それぞれ第二面板８の第二見付け片部８ａの戸先側、戸尻側の各端部に突当て状に当接するように寸法設定されている。
このとき、各第一当接片部７ｅ、７ｊの延出端縁には、それぞれ戸先側、戸尻側の各第一フランジ片部７ｆ、７ｋが形成されている。これによって、各第一当接片部７ｅ、７ｊは湾曲状に波打つように変形することがなく、平滑精度の高い均一な平板状体として折曲加工され、各第一当接片部７ｅ、７ｊ全域が第二見付け片部８ａに確実に当接するように構成されている。
【００１６】
一方、第二面板８において、図５に示すように、第二見付け片部８ａは第一見付け片部７ａと略同様の左右幅（見付け幅）と、第一見付け片部７ａよりも僅かに長い上下長さを有して形成されている。そして、第二見付け片部８ａの戸先側の端縁（左側端縁）に形成される余長部を折曲することにより、第二見付け片部８ａの戸先側の端縁から第一見付け片部７ａ側（第一面板７側、戸先側第一折返し片７ｂの折返し部７ｄ側、屋内側）に向けて延出する戸先側第二見込み片部８ｂが形成され、戸先側第二見込み片部８ｂの延出端縁から戸尻側に向けて延出し、第一面板７の戸先側第一折返し片７ｂに当接する戸先側第二当接片部８ｃが形成されている。また、戸先側第二当接片部８ｃの延出端縁には第二見付け片部８ａ側（第二面板８側、屋外側）に向けて延出する戸先側第二フランジ片部８ｄが形成されている。
このとき、戸先側第二見込み片部８ｂは、後述する第一、第二ボックス体７Ｂ、８Ｂの組込み状態において、戸先側第一折返し片部７ｂの折返し部７ｄとともにドア体６の戸先側端面６ｃを構成している。また、戸先側第二当接片部８ｃは戸先側第一見込み片部７ｃに近接する部位にまで延出して形成されており、戸先側第二当接片部８ｃと戸先側第一当接片部７ｅとがドア厚方向（見込方向）に対向するように構成されている。これによって、戸先側第二当接片部８ｃの延出端縁に形成される戸先側第二フランジ片部８ｄは、戸先側第一フランジ片部７ｆに対してドア幅方向に位置ズレして、戸先側第一フランジ片部７ｆよりも戸尻側に形成されて、戸先側第一見込み片部７ｃに近接するように構成されているとともに、戸先側第二フランジ片部８ｄの端縁と戸先側第一フランジ片部７ｆの端縁とは、ドア厚方向において所定の間隙を存するように構成されている。
【００１７】
また、第二見付け片部８ａの戸尻側の端縁（右側端縁）に形成される余長部を折曲することにより、第二見付け片部８ａの戸尻側の端縁から第一見付け片部７ａ側（第一面板７側、屋内側）に向けて延出してドア厚方向中間部に至り、戸尻側第一見込み片部を構成する外側見込み片部７ｇと面一状となってドア体６の戸尻側端面６ｄを構成する戸尻側第二見込み片部８ｅが形成されている。さらに、戸尻側の余長部には、戸尻側第二見込み片部８ｅの延出端縁から戸先側に向けて延出し、段差片部７ｈに当接する戸尻側第二当接片部８ｆが形成されている。尚、戸尻側第二当接片部８ｆは段差片部７ｈのドア幅方向長さと略同長さ、または、僅かに短い長さに設定されている。
【００１８】
さらに、第二見付け片部８ａの上下の端縁に形成される余長部を第一見付け片部７ａ側（第一面板７側、屋内側）に向けて折曲することにより上、下側第二見込み片部８ｇ、８ｈが形成されており、これら上、下側第二見込み片部８ｇ、８ｈは、上、下側第一見込み片部７ｍ、７ｎとともにドア体６の上、下側端面６ａ、６ｂを構成するように設定されている。
このように、第二面板８の四周に形成された余長部を折曲することにより、屋内側（第一面板７側）が開口する第二ボックス体８Ｂが形成されている。
【００１９】
つぎに、第一ボックス体７Ｂと第二ボックス体８Ｂとの組込みについて、図６に基づいて説明する。
まず、第一ボックス体７Ｂを開口部が上方を向く状態で作業台上に載置し、該第一ボックス体７Ｂに対し、第二ボックス体８Ｂを開口部が下方を向く状態で対向せしめ、第一ボックス体７Ｂの上下側第一見込み片部７ｍ、７ｎの外側に、第二ボックス体８Ｂの上下側第二見込み片部８ｇ、８ｈを外嵌させる状態とするとともに、第一ボックス体７Ｂの戸先側第一折返し片部７ｂの折返し部７ｄ近傍に、第二ボックス体８Ｂの戸先側第二当接片部８ｃの戸先側部位を突当てて第二ボックス体８Ｂの戸尻側部位が上方に位置する傾斜姿勢とする（図６における実線）。この状態から、前記戸先側第一折返し片部７ｂと戸先側第二当接片部８ｃとの突当て部を支点として、第二ボックス体８Ｂの戸尻側部位を下方揺動させる（第一ステップ）。このとき、戸先側第一、第二フランジ片部７ｆ、８ｄ同士は、戸先側第二フランジ片部８ｄの端縁と戸先側第一フランジ片部７ｆの端縁とがドア厚方向において所定の間隙を存する長さに寸法設定されていて、戸先側第二フランジ片部８ｄが戸先側第一フランジ片部７ｆに当接してしまうような不具合はない。
【００２０】
前記第二ボックス体８Ｂの戸尻側部位の下方揺動の過程で、該戸尻側部位が第一ボックス体７Ｂの戸尻側部位に近付くと、戸尻側第二当接片部８ｆの延出端縁（戸先側端部）が戸尻側第一当接片部７ｊに近接対向する状態となる。この近接対向状態において、第二ボックス体８Ｂを戸尻側に変位させる（第二ステップ）とともに、第二ボックス体８Ｂ全体を僅かに上方に浮かせるように変位させて（第三ステップ）、戸尻側第二当接片部８ｆの延出端縁が第一ボックス体７Ｂの内側見込み片部７ｉよりも外方に位置し、内側見込み片部７ｉの外面に沿って下動が可能となる位置関係とする（第四ステップ）。この状態において、第二ボックス体８Ｂへの支持を解除する（手を離す）ことで、第二ボックス体８Ｂが自重で下方変位して、戸先側、上下側の各第二見込み片部８ｂ、８ｇ、８ｈが対応する各第一見込み片部７ｃ、７ｍ、７ｎに外嵌するとともに、戸尻側においては、戸尻側第二見込み片部８ｅが内側見込み片部７ｉに外嵌し、戸尻側第二見込み片部８ｅが外側見込み片部７ｇと面一状となって、第二ボックス体８Ｂの第一ボックス体７Ｂへの外嵌組込みが完了してドア体６が構成される。
【００２１】
そして、この第一、第二ボックス体７Ｂ、８Ｂの組込み状態において、ドア体６の戸先側部位は、戸先側第一見込み片部７ｃが第二見付け片部８ａに、戸先側第二見込み片部８ｂが折返し部７ｄにそれぞれ突当てられることによりドア厚方向の強度アップが図れるように構成されている。さらに、戸先側第一当接片部７ｅが第二見付け片部８ａに、戸先側第二当接片部８ｃが戸先側第一折返し片部７ｂにそれぞれ当接して面接触状態となることによりドア面方向の強度アップが図れるように構成されている。また、戸先側部位においては、戸先側第二フランジ片部８ｄが戸先側第一見込み片部７ｃに近接して形成されていることによって、ドア体６の戸先側に、ドア幅方向に対向する戸先側第一、第二見込み片部７ｃ、８ｂにより囲繞される戸先側中空部ＨＦが形成され、戸先側中空部ＨＦを構成する戸先側第一見込み片部７ｃ、戸先側第一、第二当接片部７ｅ、８ｃ、および、戸先側第一折返し片部７ｂがフレーム材のように機能することにより戸先側部位を補強するように構成されている。
【００２２】
さらに、ドア体６の戸先側部位においては、戸先側第一、第二当接片部７ｅ、８ｃとがドア厚方向に対向して形成され、これら戸先側第一、第二当接片部７ｅ、８ｃの延出端縁に形成される戸先側第一、第二フランジ片部７ｆ、８ｄのそれぞれは、戸先側第二フランジ片部８ｄが戸先側第一フランジ片部７ｆよりも戸尻側に位置していて、ドア幅方向に位置ズレして設けられている。これによって、火災等において第一、第二ボックス体７Ｂ、８Ｂが互いに離間する方向に変位した場合に、戸先側第一、第二フランジ片部７ｆ、８ｄが互いに係止して、第一、第二ボックス体７Ｂ、８Ｂ同士が連結された状態を保持できることになって、これらが剥がれてしまうような不具合を防止できるように配慮されている。
【００２３】
また、ドア体６の戸尻側部位においては、戸尻側第一見込み片部を外側見込み片部７ｇ、段差片部７ｈ、内側見込み片部７ｉとによりクランク状に折曲すること、内側見込み片部７ｉが第二見付け片部８ａに、戸尻側第二見込み片部８ｅが外側見込み片部７ｇ（段差片部７ｈ）にそれぞれ突当てられることによりドア厚方向の強度アップが図れるように構成されている。さらに、戸尻側端面６ｄを外側見込み片部７ｇと戸尻側第二見込み片部８ｅとにより構成し、かつ、ドア厚方向中間部において段差片部７ｈと戸尻側第二当接片部８ｆとが面接触状態となることで戸尻側端面６ｄの強度アップが図れるように構成されている。また、戸尻側第一当接片部７ｊが第二見付け片部８ａに、戸尻側第二当接片部８ｆが段差片部７ｈにそれぞれ当接して面接触状態となることによりドア厚方向、および、ドア面方向の強度アップが図れるように構成されている。さらに、このものでは、ドア厚方向一方となる屋外側において、段差片部７ｈに当接する戸尻側第二当接片部８ｆ、内側見込み片部７ｉ、第二見付け片部８ａ、戸尻側第二見込み片部８ｅにより戸尻側中空部ＨＲが形成され、戸尻側中空部ＨＲを構成する戸尻側第二当接片部８ｆと内側見込み片部７ｉとがフレーム材のように機能することにより戸尻側部位の屋外側部位における補強がなされるように構成されている。
【００２４】
しかも、前記第一、第二ボックス体７Ｂ、８Ｂの組込み状態において、第二ボックス体８Ｂの戸先側第二フランジ片部８ｄは第一ボックス体７Ｂの戸先側第一見込み片部７ｃに近接しており、第二ボックス体８Ｂの上下側見込み片部８ｇ、８ｈは、第一ボックス体７Ｂの上下側見込み片部７ｍ、７ｎに摺接（当接）しており、さらに、第二ボックス体８Ｂの戸尻側第二当接片部８ｆの延出端縁が第一ボックス体７Ｂの内側見込み片部７ｉに近接する状態となっている。これによって、第二ボックス体８Ｂを第一ボックス体７Ｂに外嵌したとき、第二ボックス体８Ｂが第一ボックス体７Ｂに対して上下およびドア幅方向にガタつくことがなく、第一、第二ボックス体７Ｂ、８Ｂ同士の位置決め手段を別途設けることなく、外嵌組込みの操作をするだけで第一、第二ボックス体７Ｂ、８Ｂを自動的に位置決めされた状態で組込めるように構成されている。
【００２５】
このように、第一、第二ボックス体７Ｂ、８Ｂを組込んでドア体６を構成する場合に、戸先側と戸尻側については前述したような構成とすることにより強度が確保されてフレーム材が不要となっているが、上下側については強度確保のために上下一対の上、下側フレーム材１２、１３がドア幅方向略全長に亘って内装される構成となっている。そして、本実施の形態では、ドア体６の躯体への取付けがピボットヒンジ式となっており、ドア体６の上下端部を補強する上、下側フレーム材１２、１３に、上、下側ピボットヒンジ１０、１１が取付けられるように構成されている。
【００２６】
前記上、下側フレーム材１２、１３は、第一、第二ボックス体７Ｂ、８Ｂを一体化する前の段階で第一ボックス体７Ｂに接着等の一体化手段を介して固定されるように構成されており、第一ボックス体７Ｂには、予め上、下側フレーム材１２、１３とともに錠装置１４や把手６ｇを取付けるための錠ユニットライナー１５、ドアクローザ装置（図示せず）取付け用のドアクローザ用ライナー１６等、ドア体６に必要な部品取付け用のライナー等が固定され、これら各部品が固定された第一ボックス体７Ｂに第二ボックス体８Ｂを外嵌することでドア体６が形成される構成となっている。
【００２７】
つぎに、上、下側フレーム材１２、１３の組込み状態について説明する。
前記各上側、下側の各フレーム材１２、１３は、図７に示すように、それぞれ底片１２ａ、１３ａと、これら底片１２ａ、１３ａの屋内外側端縁から上方、下方にそれぞれ延出する屋内外一対の側片１２ｂ、１２ｃ、１３ｂ、１３ｃとにより、上方、下方がそれぞれ開口する鋼製のＣ型チャンネルに構成されている。さらに、上、下側フレーム材１２、１３は、ピボットヒンジ１０、１１が取付けられる戸尻側部位を除く部位において、屋内側片１２ｂ、１３ｂの上、下端縁部から屋外側に延出する固定片１２ｄ、１３ｄがそれぞれ形成されている一方、屋外側片１２ｃ、１３ｃには戸尻側端部部位が切欠かれて開口１２ｅ、１３ｅが形成されている。
これら上、下側フレーム材１２、１３において、左右方向の長さ寸法は、第一ボックス体７Ｂの戸先側第一フランジ片部７ｆと戸尻側の外側見込み片部７ｇの対向間隔となるように設定され、屋内外方向の長さ寸法は第一、第二見付け片部７ａ、８ａの対向間隔となるように設定されている。さらに、上、下側フレーム材１２、１３の上下方向の長さは、ドア体６の上下端部を補強するために必要な長さに設定されるが、下側フレーム材１３が上側フレーム材１２より僅かに長い長さ寸法に設定されている。
【００２８】
ここで、上、下側フレーム材１２、１３に取付けられるドア体６側の上、下側ピボットヒンジ１０、１１について説明する。これら上、下側ピボットヒンジ１０、１１は、ドア体６の屋外側においてドア枠１とドア体６とを連結するピボット軸１０ａ、１１ａ、上、下側フレーム材１２、１３の底片１２ａ、１３ａにそれぞれ螺着される上、下側ピボットヒンジ用ライナー１０ｂ、１１ｂ、これら上、下側ピボットヒンジ用ライナー１０ｂ、１１ｂに固定されるドア側内装部材１０ｃ、１１ｃ、これらドア側内装部材１０ｃ、１１ｃから屋外側に向けて突出形成され、ピボット軸１０ａ、１１ａとの連結がなされるピボット軸連結部材１０ｄ、１１ｄとにより構成されている。
【００２９】
そして、上、下側フレーム材１２、１３は、予め底片１２ａ、１３ａの戸尻側部位に上、下側ピボットヒンジ用ライナー１０ｂ、１１ｂが螺着された状態となってドア体６（第一、第二ボックス体７Ｂ、８Ｂ）の上下端部に内装されるように構成されている。このため、ドア体６を構成する第一、第二ボックス体７Ｂ、８Ｂの上下端部には、予め本発明が実施された第一、第二フレーム用切欠き部がそれぞれ切欠き形成されるが、これら第一、第二フレーム用切欠き部は、上、下側ピボットヒンジ用ライナー１０ｂ、１１ｂ付きの上、下側フレーム材１２、１３の上下方向長さに対応した切欠き深さで切欠き形成されている。
因みに、ドア体をピボットヒンジ式に構成しない場合では、フレーム材にピボットヒンジ用ライナーが固定されることはなく、第一、第二ボックス体７Ｂ、８Ｂの上下端部に形成される第一、第二フレーム用切欠き部は上、下側フレーム材の上下方向長さに対応する切欠き深さで切欠けばよい。
【００３０】
前記第一、第二フレーム用切欠き部はドア体６の戸先側端面６ｃおよび戸尻側端面６ｄよりもドア幅方向内側に位置する片部、即ち、第一、第二ボックス体７Ｂ、８Ｂの戸先側および戸尻側に折曲形成される各片部のうち、戸先側端面６ｃおよび戸尻側端面６ｄを構成する片部以外の片部に形成されている。
まず、第一ボックス体７Ｂの戸先側部位における第一フレーム用切欠き部は、戸先側第一折返し片部７ｂの戸尻側部位（延出端縁部）と、戸先側第一見込み片部７ｃと、戸先側第一当接片部７ｅとの上下端部をそれぞれ切欠くことにより上下の戸先側第一切欠き部ＣＦ１として形成されている。このとき、戸先側第一折返し片部７ｂについては、戸先側第一当接片部７ｅに対向する戸尻側部位のみが切欠かれており、戸先側第一折返し片部７ｂの戸尻側を向く切欠き端面である戸尻方向端面７ｐと、戸先側第一フランジ片部７ｆの戸尻方向面７ｑとがドア厚方向に面一状になるように設定されている。また、上下の戸先側第一切欠き部ＣＦ１の上下方向の長さとなる切欠き深さは、それぞれ上、下側第一見込み片部７ｍ、７ｎとのあいだに、上、下側フレーム材１２、１３を組込むことができる長さ、即ち、上、下側フレーム材１２、１３の各側片１２ｂ、１２ｃ、１３ｂ、１３ｃの上下方向長さと同様の長さに設定されており、上側の戸先側第一切欠き部ＣＦ１の方が下側の戸先側第一切欠き部ＣＦ１よりも短くなるように設定されている。
【００３１】
また、第一ボックス体７Ｂの戸尻側部位における第一フレーム用切欠き部は、段差片７ｈと、内側見込み片部７ｉと、戸尻側第一当接片部７ｊと、戸尻側第一フランジ片部７ｋとの上下端部を切欠くことにより上下の戸尻側第一切欠き部ＣＲ１として形成されている。そして、上下の戸尻側第一切欠き部ＣＲ１の上下方向の長さとなる切欠き深さは、それぞれ上下の戸先側第一切欠き部ＣＦ１よりも長く、それぞれ上、下側第一見込み片部７ｍ、７ｎとのあいだに、上、下側ピボットヒンジ用ライナー１０ｂ、１１ｂを取付けた上、下側フレーム材１２、１３を組込むことができる長さ、即ち、上下の戸先側第一切欠き部ＣＦ１の長さよりも上、下側ピボットヒンジ用ライナー１０ｂ、１１ｂの板厚分だけ長い長さに設定され、上側の戸尻側切欠き部ＣＲ１の方が下側の戸尻側切欠き部ＣＲ１よりも短くなるように設定されている。
さらに、第一ボックス体７Ｂの上、下側第一見込み片部７ｍ、７ｎには、戸尻側の上、下側ピボットヒンジ１０、１１取付け部位に対向して第一切欠き窓ＣＷ１が切欠き形成されている。
【００３２】
一方、第二ボックス体８Ｂの戸先側部位における第二フレーム用切欠き部は、戸先側第二当接片部８ｃの戸尻側部位と戸先側第二フランジ片部８ｄとの上下端部を切欠くことにより上下の戸先側第二切欠き部ＣＦ２として形成されているが、戸先側第二当接片部８ｃの戸尻側を向く切欠き端面である戸尻方向端面８ｉは、第一ボックス体７Ｂと一体化した状態で戸先側第一折返し片部７ｂの戸尻側を向く切欠き端面７ｐとドア厚方向において面一となるように切欠かれている。そして、上下の戸先側第二切欠き部ＣＦ２の上下方向の長さとなる切欠き深さは、それぞれ上下の戸先側第一切欠き部ＣＦ１と同じ長さに設定されている。
【００３３】
また、第二ボックス体８Ｂの戸尻側部位における第二フレーム用切欠き部は、戸尻側第二当接片部８ｆを切欠くことにより上下の戸尻側第二切欠き部ＣＲ２として形成されている。そして、上下の戸尻側第二切欠き部ＣＲ２の上下方向の長さとなる切欠き深さは、それぞれ上下の戸尻側切欠き部ＣＲ１と同じ長さに設定されている。
さらに、第二ボックス体８Ｂの上、下側第二見込み片部８ｇ、８ｈには、戸尻側の上、下側ピボットヒンジ１０、１１取付け部位に対向して第二切欠き窓ＣＷ２が形成されているが、該第二切欠き窓ＣＷ２は、第二見付け片部８ａの上下端部を含めて切欠かれている。
【００３４】
つぎに、上、下側フレーム材１２、１３の組込み状態について説明する。この場合に、図８、９、１０（Ａ）を用いて上側フレーム材１２の組込み状態について説明する。
上側フレーム材１２は、底片１２ａの戸尻側部位の下端面に上側ピボットヒンジ用ライナー１０ｂが螺着された状態として予め第一ボックス体７Ｂの上端部に組込まれる。このとき、上側フレーム材１２の戸先側部位については、図８に示すように、底片１２ａが戸先側第一切欠き部ＣＦ１における上方を向く切欠き端面である戸先側第一折返し片部７ｂの戸尻側部位の上端面７ｒ、戸先側第一見込み片部７ｃの上端面７ｓ、戸先側第一当接片部７ｅの上端面７ｔに載置する状態で組込まれる。
一方、上側フレーム材１２の戸尻側部位は、下端面に一体化されたピボットヒンジ用ライナー１０ｂが戸尻側第一切欠き部ＣＲ１における上方を向く切欠き端面である段差片部７ｈの上端面７ｕ、内側見込み片部７ｉの上端面７ｗ、戸尻側第一当接片部７ｊの上端面７ｘ、戸尻側第一フランジ片部７ｋの上端面７ｙのうち、戸尻側第一当接片部７ｊの上端面７ｘを除く上端面７ｕ、７ｗ、７yに載置する状態で組込まれる。
【００３５】
前記組込み状態において、上側フレーム材１２の屋内側片１２ｂは、第一見付け片部７ａの屋外側面（第二面板側の面）に突当たり、屋外側片１２ｃは、戸先側、戸尻側第一当接片部７ｅ、７ｊの屋外側面（第二面板２側の面）と面一状となるように組込まれている。また、上側フレーム材１２の固定片１２ｄは上側第一見込み片部７ｍに当接する状態で組込まれており、上下方向の位置ズレが防止されるように組込まれている。さらに、上側フレーム材１２の戸先側端面１２ｆは、戸先側第一切欠き部ＣＦ１における戸先側第一折返し片部７ｂの戸尻方向端面７ｐと、戸先側第一フランジ片部７ｆの戸尻方向面７ｑとに当接する一方、戸尻側端面１２ｇは、戸尻側第一見込み片部を構成する外側見込み片部７ｇの戸先方向を向く戸先方向面７ｚに近接対向しており、戸尻方向端面７ｐ、戸尻方向面７ｑ、および、戸先方向面７ｚがストッパ片として機能して、上側フレーム材１２のドア幅方向（左右方向）の位置決めをする状態で組込まれている。これによって、上側フレーム材１２は、上下方向、さらには、ドア幅方向の位置ズレが防止された状態で第一ボックス体７Ｂに組込まれるように構成されている。
尚、下側フレーム材１３は、底片１３ａの戸尻側部位の上端面に下側ピボットヒンジ用ライナー１１ｂが螺着された状態で第一ボックス体７Ｂの下部に組込まれるが、該組込みは、上下方向を反転させた関係において、上側フレーム材１２と同様の組込み手順で組込まれ、同様の組込み状態となるように構成されており、詳細な説明については省略する。
【００３６】
そして、上、下側フレーム材１２、１３が組込まれた第一ボックス体７Ｂに対し、前記手順で第二ボックス体８Ｂを組込んだ場合、第二見付け片部８ａは上、下側フレーム材１２、１３の屋外側片１２ｃ、１３ｃの屋外側面に突当たる。また、戸先側第二切欠き部ＣＦ２における戸先側第二当接片部８ｃの上、下端面８ｊと戸先側第二フランジ片部８ｄの上、下端面８ｋとは、戸先側第一切欠き部ＣＦ１の上、下端面７ｒ、７ｓ、７ｔとともに上、下側フレーム材１２、１３（底片１２ａ、１３ａ）の戸先側部位を支持する。さらに、戸先側第二当接片部８ｃの戸先側第二切欠き部ＣＦ２における上下の戸尻方向を向く戸尻方向端面８ｉは、戸先側第一切欠き部ＣＦ１における上下の戸尻方向端面７ｐ、戸尻方向面７ｑとともに上、下側フレーム材１２、１３の戸先側端面１２ｆ、１３ｆに突当てられて、上、下側フレーム材１２、１３の位置決めをするように構成されている。
一方、戸尻側第二切欠き部ＣＲ２における戸尻側第二当接片部８ｆの上、下端面８ｍは、戸尻側第一切欠き部ＣＲ１の上、下端面７ｕ、７ｗ、７ｙとともに上、下側フレーム材１２、１３（底片１２ａ、１３ａ）の戸尻側部位を支持し、戸尻側第二見込み片部８ｅにおける戸先方向を向く戸先方向面８ｎは、戸尻側第一切欠き片部ＣＲ１の外側見込み片部７ｇの戸先方向を向く戸先方向面７ｚとともに上、下側フレーム材１２、１３の戸尻側端面１２ｇ、１３ｇに近接対向して、上、下側フレーム材１２、１３の位置決めをするように構成されている。このように、上、下側フレーム材１２、１３は第一、第二フレーム用切欠き部に内装されることにより、ドア厚方向、上下方向、ドア幅方向における確実な位置決めがなされるとともに、戸先側、戸尻側において強固な支持を受けるように構成されている。
【００３７】
尚、前記錠ユニットライナー１５は、図１２に示すように、屋内外一対の面板１５ａと、これら面板１５ａ同士の戸先側部位を連結する戸先側連結体１５ｂとにより平面視コ字形に形成されている。前記屋内外の面板１５ａ同士の戸尻側部位は複数の連結体１５ｃにより一体化されており、戸先側連結体１５ｂには開口１５ｄが形成されており、該開口１５ｄに、施錠装置を支持するための上下一対の取付け片１５ｅが形成されている。そして、錠ユニットライナー１５は、戸先側連結体１５ｂを第一見込み片部７ｃに積層する状態で第一見付け片部７ａに固定され、第二ボックス体８Ｂを一体化した状態では、錠ユニットライナー１５の開口１５ｄに設けられた取付け片１５ｅが、戸先側第一、第二見込み片部７ｃ、８ｂに形成された開口７Ｈ、８ｐ、および、戸先側第二フランジ片部８ｄに形成された切欠き８ｑを介して外部に露出するように構成されている。このように、錠ユニットライナー１５は第一見付け片部７ａに直接固定する構成としたので、取付け片１５ｅと各面板７、８の開口７Ｈ、８ｐおよび切欠き８ｑとの位置合わせが容易で、従来の施錠装置用ライナーをフレーム材を介してドア体内に固定するもののように、ドア体の表面材に形成される開口と、施錠装置用ライナーの取付け片との位置合わせが難しくなるような不具合がないように構成されている。
尚、ドアクローザ用ライナー１６は、本実施の形態では、第一ボックス体７Ｂの第一見付け片部７ａの戸尻側上方部位に予め固定される。
【００３８】
そして、第一、第二ボックス体７Ｂ、８Ｂは、前記各部材が組込み固定された第一ボックス体７Ｂの第一見付け片部７ａ内側面にホットメルトタイプの接着剤を塗布するとともにコア材９を内装し、第二ボックス体８Ｂの第二見付け片部８ａ内側面にホットメルトタイプの接着剤を塗布した後、前述した手順に基づいて外嵌組込みしてドア体６の外形状を整えた後、ホットプレス装置に組込み、ドア体６の表裏方向両側面に対して加熱、加圧することによりドア体６が形成されるように構成されている。
このように一体化されたドア体６は、第一、第二見付け片部７ａ、８ａが互いに対向する部材（コア材９、戸先側、戸尻側の各第一当接片部７ｅ、７ｊ）に接着（一体化）された状態となるとともに、さらに、上、下側フレーム材１２、１３の屋外側片１２ｃ、１３ｃが第二ボックス体８Ｂの第二見付け片部８ａに接着する状態となって、上、下側フレーム材１２、１３が第一、第二見付け片部７ａ、８ａに挟持状に支持された状態となるように構成されている。これによって、上、下側フレーム材１２、１３は、上下方向の位置ズレ、ドア幅方向の位置ズレ、さらには、屋内外方向の位置ズレが防止された状態で位置精度よくドア体６の上下端部に固定され、しかも、戸先側の第一、第二フレーム用切欠き部を構成する上、下端面７ｒ、７ｓ、７ｔ、８ｊ、８ｋ、戸尻側の第一、第二フレーム用切欠き部を構成する上、下端面７ｕ、７ｗ、７ｙ、８ｍによる支持を受けて、上下方向の負荷に対する強度が確保されるように構成されている。
【００３９】
また、前記一体化されたドア体６は、第一、第二ボックス体７Ｂ、８Ｂの上下の一体化部位であって、上側第一、第二見込み片部７ｍ、８ｇ同士と上側フレーム材１２の固定片１２ｄ、および、下側第一、第二見込み片部７ｎ、８ｈ同士と下側フレーム材１３の固定片１３ｄは、それぞれドア幅方向複数箇所においてリベット１７による止着がなされており、これによって、ドア体６の一体化が一層強固になされるとともに、上、下側フレーム材１２、１３がドア体６の上下端部に強固に支持されるように構成されている。
【００４０】
そして、前記第一、第二ボックス体７Ｂ、８Ｂ（ドア体６）の一体化状態において、ドア体６の上下端面６ａ、６ｂには、第一、第二ボックス体７Ｂ、８Ｂに形成された第一、第二切欠き窓ＣＷ１、ＣＷ２を介して上、下側フレーム材１２、１３の底片１２ａ、１３ａが外部から臨める状態となっている。また、第二切欠き窓ＣＷ２の屋外側を向く部位と上、下側フレーム材１２、１３の開口１２ｅ、１３ｅとが連通する状態となっている。そして、前記第一、第二切欠き窓ＣＷ１、ＣＷ２から上、下側ピボットヒンジ１０、１１のドア側内装部材１０ｃ、１１ｃを嵌め込んで上、下側フレーム材１２、１３にそれぞれ螺着することにより、これらドア側内装部材１０ｃ、１１ｃに突出形成されるピボット軸連結部材１０ｄ、１１ｄが、上、下側フレーム材１２、１３の開口１２ｅ、１３ｅおよび第二ボックス体８Ｂの第二切欠き窓ＣＷ２を介して屋外側に突出するように構成されている。
【００４１】
叙述の如く構成された本形態において、第一、第二面板７、８とこれら第一、第二面板７、８間に介装されるコア材９とを用いて構成されるドア体６は、第一面板７に形成される戸尻側の第一見込み片部は、第一見付け片部７ａの戸尻側端縁から第二見付け片部８ａに向けて延出してドア厚方向中間部に至る外側見込み片部７ｇと、外側見込み片部７ｇの延出端縁から戸先側に向けて延出する段差片部７ｈと、段差片部７ｈの延出端縁から第二見付け片部８ａに向けて延出し、第二見付け片部８ａに突当てられる内側見込み片部７ｉとによりクランク状に形成される一方、第二面板８に形成される戸尻側の第二見込み片部８ｅは、第二見付け片部８ａの戸尻側端縁から第一見付け片部７ａに向けて延出してドア厚方向中間部に至り、外側見込み片部７ｇとともに戸尻側端面６ｄを構成するよう形成され、第二見込み片部８ｅの延出端縁に段差片部７ｈに当接する第二当接片部８ｆが形成されていて、戸尻側のフレーム材を省略することができる。このように戸尻側端部のフレーム材を省略したドア体６において、ドア体６の上下端部に上、下側フレーム材１２、１３を介装する場合に、上、下側フレーム材１２、１３の戸尻側部位は、戸尻側端面６ｄよりもドア幅方向内側に位置する第一面板７側の段差片部７ｈと内側見込み片部７ｉとを切欠くことにより形成される第一フレーム用切欠き部、および、第二面板８側の戸尻側第二当接片部８ｆを切欠くことにより形成される第二フレーム用切欠き部により支持する構成としたので、上、下側フレーム材１２、１３に上、下側ピボットヒンジ１０、１１を取付けてドア体６の全荷重が上、下側フレーム材１２、１３の戸尻側部位に作用する構成としても、該荷重（負荷）を、剛性（金属製板材）である第一面板７側の段差片部７ｈ、内側見込み片部７ｉ、戸尻側第一フランジ片部７ｋ、さらには、第二面板８側の戸尻側第二当接片部８ｆの戸尻側部位を切欠いて形成される第一、第二フレーム用切欠き部における切欠き端面７ｕ、７ｗ、７ｙ、８ｍにより受け止めることができて、上、下側フレーム材１２、１３、特に大きな負荷が作用する下側フレーム材１３が位置ズレしてしまうような不具合がなく、第一、第二フレーム材１２、１３のドア体６との一体化強度を高めることができる。
【００４２】
このように、本発明が実施されたものにあっては、上、下側フレーム材１２、１３を第一、第二フレーム用切欠き部により支持する構成として上、下側フレーム材１２、１３に作用する負荷に対する強度（上、下側フレーム材１２、１３のドア体６との一体化強度）を高めるようにしたものであるが、さらにこのものでは、第一面板７の内側見込み片部７ｉの延出端縁から戸先側に向けて延出し、第二見付け片部８ａに当接する戸尻側第一当接片部７ｊが形成され、第一フレーム用切欠き部として戸尻側第一当接片部７ｊについても切欠く構成としたので、戸尻側第一当接片部７ｊが第二見付け片部８ａに当接することによる戸尻側部位のドア厚方向の強度が高められて、上、下側フレーム材１２、１３のドア体６との一体化強度を一層高めることができる。
【００４３】
さらに、第一面板７の戸尻側第一当接片部７ｊの延出端縁から第一見付け片部７ａに向けて延出する第一フランジ片部７ｋを形成したので、戸尻側第一当接片部７ｊの平滑性が良好となって、第二見付け片部８ａとの当接が確実になされてドア厚方向の強度を一層高められるうえ、第一フレーム用切欠き部として第一フランジ片部７ｋが切欠かれているので、該切欠き端面７ｙが上、下側フレーム材１２、１３を支持することができて、上、下側フレーム材１２、１３のドア体６との一体化強度のさらなる向上を図ることができる。
【産業上の利用可能性】
【００４４】
本発明は、オフィスビルや工場等の建築物の出入り口部に設けられるドア体を、左右のフレーム材を省略したものでありながら、上下にフレーム材を強固に支持することができて、丁番式、ピボットヒンジ式等、汎用性の高いドア体を構成する場合に利用することができる。
【符号の説明】
【００４５】
１  ドア枠
６  ドア体
６ｃ  戸先側端面
７  第一面板
７ａ  第一見付け片部
７ｂ  戸先側第一折返し片部
７ｃ  戸先側第一見込み片部
７ｇ  外側見込み片部
７ｈ  段差片部
７ｉ  内側見込み片部
７ｊ  戸尻側第一当接片部
７ｋ  戸尻側第一フランジ片部
７Ｂ  第一ボックス体
８  第二面板
８ａ  第二見付け片部
８ｂ  戸先側第二見込み片部
８ｄ  戸先側第二フランジ片部
８ｅ  戸尻側第二見込み片部
８ｆ  戸尻側第二当接片部
８Ｂ  第二ボックス体
９  コア材
１０  上側ピボットヒンジ
１０ａ  ピボット軸
１０ｂ  上側ピボットヒンジ用ライナー
１２  上側フレーム材
ＣＦ１  戸先側第一切欠き部
ＣＲ１  戸尻側第一切欠き部
【図１】
0005748650.tif 000002
【図２】
0005748650.tif 000003
【図３】
0005748650.tif 000004
【図４】
0005748650.tif 000005
【図５】
0005748650.tif 000006
【図６】
0005748650.tif 000007
【図７】
0005748650.tif 000008
【図８】
0005748650.tif 000009
【図９】
0005748650.tif 000010
【図１０】
0005748650.tif 000011
【図１１】
0005748650.tif 000012
【図１２】
0005748650.tif 000013